(57)【要約】【課題】テレビ会議において、共有画像の視認性を向上できるとともに、適切なキーワードを秘匿することである。【解決手段】テレビ会議管理装置は、音声に基づく音声データの入力を受け付け、入力された音声データを端末装置に送信し、音声データを端末装置から受信して音声出力手段で音声出力し、画像データを表示手段に表示し、画像データを端末装置に送信し、秘匿すべきキーワードを記憶する記憶手段に記憶されたキーワードに基づいて、画像データから、入力された音声データに含まれる秘匿すべきキーワード（開発費）を抽出し、抽出されたキーワードに符号（Ｘ０１）を割り当て、画像データの抽出されたキーワードに対応する第１の所定位置に、割り当てられた符号を配置する。【選択図】図５
2020102700.tif 000002
【特許請求の範囲】
【請求項１】
少なくとも１つの端末装置とテレビ会議を行うテレビ会議管理装置であって、
音声に基づく音声データの入力を受け付ける音声入力手段と、
前記入力された音声データを前記端末装置に送信し、音声データを前記端末装置から受信して音声出力手段で音声出力する音声制御手段と、
画像データを表示手段に表示し、当該画像データを前記端末装置に送信する画像共有手段と、
秘匿すべきキーワードを記憶する記憶手段と、
前記記憶されたキーワードに基づいて、前記画像データから前記入力された音声データに含まれる秘匿すべきキーワードを抽出する抽出手段と、
前記抽出されたキーワードに符号を割り当てる割当手段と、
前記画像データの前記抽出されたキーワードに対応する第１の所定位置に前記割り当てられた符号を配置する画像制御手段と、を備えるテレビ会議管理装置。
【請求項２】
前記画像制御手段は、前記抽出されたキーワードが前記画像データに含まれるか否かを判別し、含まれる場合に、前記画像データの前記抽出されたキーワードに対応する第１の所定位置に前記割り当てられた符号を配置する請求項１に記載のテレビ会議管理装置。
【請求項３】
前記記憶手段は、秘匿すべきキーワードと当該キーワードに関連する関連キーワードとを記憶し、
前記画像制御手段は、前記記憶されたキーワード及び関連キーワードに基づいて、前記画像データの前記抽出されたキーワードに対応する関連キーワード及び符号を第２の所定位置に配置する請求項１又は２に記載のテレビ会議管理装置。
【請求項４】
前記第１の所定位置は、前記抽出されたキーワードの近傍の位置又は設定された任意の位置である請求項１から３のいずれか一項に記載のテレビ会議管理装置。
【請求項５】
前記符号は、意味を持たない文字列、又は固有名詞を含まない文字列である請求項１から４のいずれか一項に記載のテレビ会議管理装置。
【請求項６】
前記画像制御手段は、前記画像データ中の前記キーワード及び前記符号の少なくとも１つの表現を変更する請求項１から５のいずれか一項に記載のテレビ会議管理装置。
【請求項７】
前記画像制御手段は、前記符号の配置から所定期間後に当該符号を前記画像データから消去する請求項１から６のいずれか一項に記載のテレビ会議管理装置。
【請求項８】
前記テレビ会議管理装置又は前記端末装置のユーザーの操作に応じて、前記記憶手段に記憶されている秘匿されているキーワードを変更する記憶制御手段を備える請求項１から７のいずれか一項に記載のテレビ会議管理装置。
【請求項９】
前記割当手段は、前記画像データ中の表示要素に符号を割り当て、
前記画像制御手段は、前記表示要素に割り当てられた符号を当該表示要素に対応する第３の所定位置に配置する請求項１から８のいずれか一項に記載のテレビ会議管理装置。
【請求項１０】
請求項１から９のいずれか一項に記載のテレビ会議管理装置と、
少なくとも１つの前記端末装置と、を備えるテレビ会議システム。
【請求項１１】
少なくとも１つの端末装置とのテレビ会議において、
音声に基づく音声データの入力を受け付ける音声入力工程と、
前記入力された音声データを前記端末装置に送信し、音声データを前記端末装置から受信して音声出力手段で音声出力する音声制御工程と、
画像データを表示手段に表示し、当該画像データを前記端末装置に送信する画像共有工程と、
秘匿すべきキーワードを記憶する記憶手段に記憶されたキーワードに基づいて、前記画像データから前記入力された音声データに含まれる秘匿すべきキーワードを抽出する抽出工程と、
前記抽出されたキーワードに符号を割り当てる割当工程と、
前記画像データの前記抽出されたキーワードに対応する第１の所定位置に前記割り当てられた符号を配置する画像制御工程と、を含むキーワード秘匿方法。
【請求項１２】
少なくとも１つの端末装置とテレビ会議を行うテレビ会議管理装置のコンピューターを、
音声に基づく音声データの入力を受け付ける音声入力手段、
前記入力された音声データを前記端末装置に送信し、音声データを前記端末装置から受信して音声出力手段で音声出力する音声制御手段、
画像データを表示手段に表示し、当該画像データを前記端末装置に送信する画像共有手段、
秘匿すべきキーワードを記憶する記憶手段、
前記記憶されたキーワードに基づいて、前記画像データから前記入力された音声データに含まれる秘匿すべきキーワードを抽出する抽出手段、
前記抽出されたキーワードに符号を割り当てる割当手段、
前記画像データの前記抽出されたキーワードに対応する第１の所定位置に前記割り当てられた符号を配置する画像制御手段、
として機能させるためのプログラム。
【発明の詳細な説明】
【技術分野】
【０００１】
本発明は、テレビ会議管理装置、テレビ会議システム、キーワード秘匿方法及びプログラムに関する。
【背景技術】
【０００２】
近年、会社のオフィス以外の場所で働くリモートワークというスタイルが普及し始めている。これは子育てや介護の都合で自宅から離れられない場合や社外への出張・移動が多くオフィスへ戻ることが困難な場合などにおいて、自宅や自社の別拠点、社外のカフェやコワーキングスペースで働く働き方のことである。
【０００３】
リモートワークを行う際、時には第三者と同じ空間に同席することもあるが、自社とテレビ会議で打合せを行おうとした場合、会議内容の秘匿が必要な場合がある。会議相手の声はイヤホンを用いることで、自分自身の端末の画面内容は角度や座席の位置で、第三者への漏洩防止をすることはできるが、自身の発する声に関しては周辺に広がってしまい、漏洩を防止することが困難である。遠隔地にいる相手とリアルタイムでコミュニケーションをとる場合は、テキストを用いたチャットにより、音を漏らさないようにすることが可能であるが、話すよりテキストを打ち込むことの方が手間と時間がかかり、円滑な会議ができなくなるおそれがある。
【０００４】
また、複合機に対して、音声認識による操作指示を行う場合、スキャン情報の送信先指定などの際にそれらを読み上げることで、周囲に自身の作業内容が漏洩してしまうことを防ぐため、画面に表示されたキーワード、用語の付近に符号の表示を行い、それらの符号を読み上げさせることで音声操作をさせることで、周囲に作業内容を知られずに音声操作を実現する画像処理システムが知られている（特許文献１参照）。
【先行技術文献】
【特許文献】
【０００５】
【特許文献１】特開２０１５−８０１２０号公報
【発明の概要】
【発明が解決しようとする課題】
【０００６】
しかし、特許文献１の画像処理システムの秘匿方法をテレビ会議に適用しても、画面中に表示されたキーワードに対して、符号を表示させており、表示量が増えて元の共有画像について視認性が低下するおそれがあった。
【０００７】
本発明の課題は、テレビ会議において、共有画像の視認性を向上するとともに、適切なキーワードを秘匿することである。
【課題を解決するための手段】
【０００８】
上記課題を解決するため、請求項１に記載の発明のテレビ会議管理装置は、
少なくとも１つの端末装置とテレビ会議を行うテレビ会議管理装置であって、
音声に基づく音声データの入力を受け付ける音声入力手段と、
前記入力された音声データを前記端末装置に送信し、音声データを前記端末装置から受信して音声出力手段で音声出力する音声制御手段と、
画像データを表示手段に表示し、当該画像データを前記端末装置に送信する画像共有手段と、
秘匿すべきキーワードを記憶する記憶手段と、
前記記憶されたキーワードに基づいて、前記画像データから前記入力された音声データに含まれる秘匿すべきキーワードを抽出する抽出手段と、
前記抽出されたキーワードに符号を割り当てる割当手段と、
前記画像データの前記抽出されたキーワードに対応する第１の所定位置に前記割り当てられた符号を配置する画像制御手段と、を備える。
【０００９】
請求項２に記載の発明は、請求項１に記載のテレビ会議管理装置において、
前記画像制御手段は、前記抽出されたキーワードが前記画像データに含まれるか否かを判別し、含まれる場合に、前記画像データの前記抽出されたキーワードに対応する第１の所定位置に前記割り当てられた符号を配置する。
【００１０】
請求項３に記載の発明は、請求項１又は２に記載のテレビ会議管理装置において、
前記記憶手段は、秘匿すべきキーワードと当該キーワードに関連する関連キーワードとを記憶し、
前記画像制御手段は、前記記憶されたキーワード及び関連キーワードに基づいて、前記画像データの前記抽出されたキーワードに対応する関連キーワード及び符号を第２の所定位置に配置する。
【００１１】
請求項４に記載の発明は、請求項１から３のいずれか一項に記載のテレビ会議管理装置において、
前記第１の所定位置は、前記抽出されたキーワードの近傍の位置又は設定された任意の位置である。
【００１２】
請求項５に記載の発明は、請求項１から４のいずれか一項に記載のテレビ会議管理装置において、
前記符号は、意味を持たない文字列、又は固有名詞を含まない文字列である。
【００１３】
請求項６に記載の発明は、請求項１から５のいずれか一項に記載のテレビ会議管理装置において、
前記画像制御手段は、前記画像データ中の前記キーワード及び前記符号の少なくとも１つの表現を変更する。
【００１４】
請求項７に記載の発明は、請求項１から６のいずれか一項に記載のテレビ会議管理装置において、
前記画像制御手段は、前記符号の配置から所定期間後に当該符号を前記画像データから消去する。
【００１５】
請求項８に記載の発明は、請求項１から７のいずれか一項に記載のテレビ会議管理装置において、
前記テレビ会議管理装置又は前記端末装置のユーザーの操作に応じて、前記記憶手段に記憶されている秘匿されているキーワードを変更する記憶制御手段を備える。
【００１６】
請求項９に記載の発明は、請求項１から８のいずれか一項に記載のテレビ会議管理装置において、
前記割当手段は、前記画像データ中の表示要素に符号を割り当て、
前記画像制御手段は、前記表示要素に割り当てられた符号を当該表示要素に対応する第３の所定位置に配置する。
【００１７】
請求項１０に記載の発明のテレビ会議システムは、
請求項１から９のいずれか一項に記載のテレビ会議管理装置と、
少なくとも１つの前記端末装置と、を備える。
【００１８】
請求項１１に記載の発明のキーワード秘匿方法は、
少なくとも１つの端末装置とのテレビ会議において、
音声に基づく音声データの入力を受け付ける音声入力工程と、
前記入力された音声データを前記端末装置に送信し、音声データを前記端末装置から受信して音声出力手段で音声出力する音声制御工程と、
画像データを表示手段に表示し、当該画像データを前記端末装置に送信する画像共有工程と、
秘匿すべきキーワードを記憶する記憶手段に記憶されたキーワードに基づいて、前記画像データから前記入力された音声データに含まれる秘匿すべきキーワードを抽出する抽出工程と、
前記抽出されたキーワードに符号を割り当てる割当工程と、
前記画像データの前記抽出されたキーワードに対応する第１の所定位置に前記割り当てられた符号を配置する画像制御工程と、を含む。
【００１９】
請求項１２に記載の発明のプログラムは、
少なくとも１つの端末装置とテレビ会議を行うテレビ会議管理装置のコンピューターを、
音声に基づく音声データの入力を受け付ける音声入力手段、
前記入力された音声データを前記端末装置に送信し、音声データを前記端末装置から受信して音声出力手段で音声出力する音声制御手段、
画像データを表示手段に表示し、当該画像データを前記端末装置に送信する画像共有手段、
秘匿すべきキーワードを記憶する記憶手段、
前記記憶されたキーワードに基づいて、前記画像データから前記入力された音声データに含まれる秘匿すべきキーワードを抽出する抽出手段、
前記抽出されたキーワードに符号を割り当てる割当手段、
前記画像データの前記抽出されたキーワードに対応する第１の所定位置に前記割り当てられた符号を配置する画像制御手段、
として機能させる。
【発明の効果】
【００２０】
本発明によれば、テレビ会議において、共有画像の視認性を向上できるとともに、適切なキーワードを秘匿できる。
【図面の簡単な説明】
【００２１】
【図１】本発明の実施の形態のテレビ会議システムのシステム構成を示す図である。
【図２】ＰＣの機能構成を示すブロック図である。
【図３】秘匿キーワードテーブルを示す図である。
【図４】第１のキーワード秘匿処理を示すフローチャートである。
【図５】（ａ）は、第１の共有画面を示す図である。（ｂ）は、第２の共有画面を示す図である。
【図６】（ａ）は、第３の共有画面を示す図である。（ｂ）は、第４の共有画面を示す図である。
【図７】秘匿キーワード・符号リストを示す図である。
【図８】キーワードテーブルを示す図である。
【図９】第２のキーワード秘匿処理を示すフローチャートである。
【図１０】（ａ）は、第５の共有画面を示す図である。（ｂ）は、第６の共有画面を示す図である。
【図１１】（ａ）は、第７の共有画面を示す図である。（ｂ）は、第８の共有画面を示す図である。（ｃ）は、第９の共有画面を示す図である。
【図１２】キーワード・符号リストを示す図である。
【発明を実施するための形態】
【００２２】
添付図面を参照して、本発明に係る第１、第２の実施の形態及び変形例を順に詳細に説明する。なお、本発明は、図示例に限定されるものではない。
【００２３】
（第１の実施の形態）
図１〜図７を参照して、本発明に係る第１の実施の形態を説明する。まず、図１及び図２を参照して、本実施の形態の装置構成を説明する。図１は、本実施の形態のテレビ会議システム１のシステム構成を示す図である。図２は、ＰＣ（Personal Computer）１０Ａの機能構成を示すブロック図である。
【００２４】
図１に示すように、本実施の形態のテレビ会議システム１は、互いに遠隔地である２か所でテレビ会議を行うためのシステムである。ここでは、一例として、ある企業の本社である拠点ＬＡと、当該本社と遠隔地にある当該企業の支社である拠点ＬＢと、の間のＴＶ会議を説明する。テレビ会議システム１は、テレビ会議管理装置としてのＰＣ１０Ａと、端末装置としてのＰＣ１０Ｂと、を備える。ＰＣ１０Ａと、ＰＣ１０Ｂとは、通信ネットワークＮを介して通信接続されている。
【００２５】
ＰＣ１０Ａは、例えばノート型ＰＣであり、音声が出力されても秘匿性が保たれている環境である、例えば拠点ＬＡとして本社の会議室などにセットされているものとする。このため、テレビ会議中に、ＰＣ１０Ａは、スピーカーなどで音声出力をしてもよく、ユーザーは自由に発声できる。ＰＣ１０ＡのユーザーをユーザーＵＡとする。
【００２６】
ＰＣ１０Ｂは、例えばノート型ＰＣであり、音声が出力されると第三者に聞こえてしまい秘匿性が保たれないような環境である、例えば拠点ＬＢとして企業の支社の第三者が出入り自由なオープンな応接スペースにセットされているものとする。このため、テレビ会議中に、ＰＣ１０Ｂは、イヤホンから音声出力をしなければならず、ユーザーは、秘匿事項以外を発声できる。ＰＣ１０ＢのユーザーをユーザーＵＢとする。
【００２７】
また、ＰＣ１０Ａは、テレビ会議中に、ユーザーＵＡ，ＵＢが同時に参照する共有画面（共有画面の画像データ（共有画面データ））をＰＣ１０Ｂに提供する。ユーザーＵＡは、ＰＣ１０Ａに表示された共有画面を参照して発言を行う。ユーザーＵＢは、ＰＣ１０Ｂに表示された同じ共有画面を参照して発言を行う。
【００２８】
通信ネットワークＮは、例えばインターネットとするが、ＷＡＮ（Wide Area Network）、ＬＡＮ（Local Area Network）、専用線など、他のネットワークを含むものとしてもよい。
【００２９】
ついで、図２を参照して、ＰＣ１０Ａの内部の機能構成を説明する。図２に示すように、ＰＣ１０Ａは、音声制御手段、画像共有手段、抽出手段、割当手段、画像制御手段、記憶制御手段としてのＣＰＵ（Central Processing Unit）１１と、操作部１２と、ＲＡＭ（Random Access Memory）１３と、表示手段としての表示部１４と、記憶部１５と、通信部１６と、音声入力手段としての音声入力部１７と、音声出力手段としての音声出力部１８Ａと、を備える。ＰＣ１０Ａの各部は、バスを介して接続されている。
【００３０】
ＣＰＵ１１は、記憶部１５に記憶されているシステムプログラム、アプリケーションプログラムのうち指定されたプログラムを読み出してＲＡＭ１３のワークエリアに展開し、当該展開されたプログラムに従ってＰＣ１０Ａの各部を制御する。
【００３１】
操作部１２は、カーソルキー、文字、数字入力キー及び各種機能キーなどを備えたキーボード、マウスなどのポインティングデバイスを含む構成とし、ユーザーによる各キーの押下入力、位置入力を受け付けてその操作情報をＣＰＵ１１に出力する。
【００３２】
ＲＡＭ１３は、揮発性のメモリーである。また、ＲＡＭ１３は、実行される各種プログラムやこれら各種プログラムに係るデータなどを格納するワークエリアを有する。
【００３３】
表示部１４は、ＬＣＤ（Liquid Crystal Display）、ＥＬ（ElectroLuminescence）ディスプレイなどで構成され、ＣＰＵ１１からの表示制御信号に従って画面表示を行う。
【００３４】
記憶部１５は、ＨＤＤ（Hard Disk Drive）、ＳＳＤ（Solid State Drive）などにより構成される。記憶部１５には、ＣＰＵ１１で実行されるシステムプログラムやアプリケーションプログラム、各種データなどが記憶されている。これらのプログラムは、コンピューター読み取り可能なプログラムコードの形態で記憶部１５に格納されている。
【００３５】
記憶部１５は、後述する、第１のキーワード秘匿プログラムＰ１と、秘匿キーワードテーブル３０と、を記憶している。
【００３６】
通信部１６は、ネットワークカードなどにより構成される。ＣＰＵ１１は、通信部１６を介して、通信ネットワークＮに接続されたＰＣ１０Ｂなどの外部機器と通信接続してデータの送受信を行う。
【００３７】
音声入力部１７は、マイクなどにより構成され、ユーザーの発声などの音声の入力を受け付け、音声信号を音声データに変換してＣＰＵ１１に出力する。
【００３８】
音声出力部１８Ａは、アンプ、スピーカーなどにより構成され、ＣＰＵ１１から入力される音声データを音声出力する。
【００３９】
ＰＣ１０Ｂの機能構成は、ＰＣ１０Ａの機能構成と同様であり、異なる部分のみ説明する。ＰＣ１０Ｂの記憶部１５は、第１のキーワード秘匿プログラムＰ１、秘匿キーワードテーブル３０を除く各種プログラム及び各種データを記憶する。ＰＣ１０Ｂの通信部１６は、ワイヤレスＷＡＮ、無線ＬＡＮなどの無線通信方式の通信ネットワークカードなどにより構成されるものとするが、有線通信方式の通信部としてもよい。ＰＣ１０ＢのＣＰＵ１１は、通信部１６を介して、アクセスポイント又は基地局を介して、通信ネットワークＮに接続されたＰＣ１０Ａなどの外部機器と通信接続してデータの送受信を行う。
【００４０】
ＰＣ１０Ｂの音声出力部（音声出力部１８Ｂ（図示略）とする）は、アンプ、イヤホンなどで構成されるものとし、出力される音声が周囲に聞こえないものとする。なお、ＰＣ１０Ａの音声出力部１８Ａも、アンプ、イヤホンなどで構成されるものとしてもよい。
【００４１】
つぎに、図３を参照して、ＰＣ１０Ａの記憶部１５に記憶される情報を説明する。図３は、秘匿キーワードテーブル３０を示す図である。
【００４２】
秘匿キーワードテーブル３０は、テレビ会議中に秘匿するべきキーワードが予め定義されたテーブルである。図３に示すように、秘匿キーワードテーブル３０は、キーワードＩＤ３１と、秘匿キーワード３２と、のカラムを有する。キーワードＩＤ３１は、秘匿キーワードの識別情報である。秘匿キーワード３２は、キーワードＩＤ３１に対応する秘匿キーワードの文字列である。
【００４３】
つぎに、図４〜図７を参照して、テレビ会議システム１の動作を説明する。図４は、第１のキーワード秘匿処理を示すフローチャートである。図５（ａ）は、共有画面４１０を示す図である。図５（ｂ）は、共有画面４２０を示す図である。図６（ａ）は、共有画面４３０を示す図である。図６（ｂ）は、共有画面４４０を示す図である。図７は、秘匿キーワード・符号リスト６０を示す図である。
【００４４】
テレビ会議システム１において、テレビ会議を行う場合に、ＰＣ１０Ａ，１０Ｂは、それぞれ、テレビ会議処理を実行する。テレビ会議処理は、例えば、拠点ＬＡのユーザーＵＡと、拠点ＬＢのユーザーＵＢとにテレビ会議を提供する処理とする。ユーザーＵＡは、ＰＣ１０Ａのスピーカーでテレビ会議の音声を聞くが、ユーザーＵＢは、ＰＣ１０Ｂのイヤホンを耳につけてテレビ会議の音声を聞く。
【００４５】
ＰＣ１０Ａにおいて、ＣＰＵ１１は、音声入力部１７を介してユーザーＵＡの発声した音声の音声データを取得して音声出力部１８Ａによりスピーカー出力し、通信部１６を介して当該音声データをＰＣ１０Ｂに送信するとともに、通信部１６を介してユーザーＵＢの音声データをＰＣ１０Ｂから受信して音声出力部１８Ａによりスピーカー出力する。ＰＣ１０Ｂにおいて、ＣＰＵ１１は、音声入力部１７を介してユーザーＵＢの発声した音声の音声データを取得して音声出力部１８Ｂによりイヤホン出力し、通信部１６を介して当該音声データをＰＣ１０Ａに送信するとともに、通信部１６を介してユーザーＵＡの音声データをＰＣ１０Ｂから受信して音声出力部１８Ａによりイヤホン出力する。
【００４６】
これと同時に、ＰＣ１０Ａにおいて、ＣＰＵ１１は、操作部１２を介するユーザーＵＡからの操作入力に応じて、共有画面データ（共有画面の画像データ）を取得（例えば、記憶部１５から読み出し）又は作成して、当該共有画面データを、表示部１４に表示しかつ通信部１６を介してＰＣ１０Ｂに送信する。ＰＣ１０Ｂにおいて、ＣＰＵ１１は、通信部１６を介して、共有画面データをＰＣ１０Ａから受信し、当該共有画面データを表示部１４に表示する。
【００４７】
ＰＣ１０Ａにおいて、上記のようにテレビ会議処理が実行開始されたことをトリガーとして、ＣＰＵ１１は、記憶部１５から読み出されて適宜ＲＡＭ１３に展開された第１のキーワード秘匿プログラムＰ１との協働で、第１のキーワード秘匿処理を実行する。
【００４８】
図４に示すように、まず、ＣＰＵ１１は、音声入力部１７から取得された音声データから音声認識を行い、音声認識された場合にはそのテキスト情報を取得し、音声認識されたか否かを判別する（ステップＳ１１）。音声認識された場合（ステップＳ１１；ＹＥＳ）、ＣＰＵ１１は、記憶部１５に記憶されている秘匿キーワードテーブル３０を参照し、ステップＳ１１で取得されたテキスト情報が秘匿キーワード３２を含むか否かを判別する（ステップＳ１２）。秘匿キーワード３２を含まない場合（ステップＳ１２；ＮＯ）、ステップＳ１１に移行される。
【００４９】
秘匿キーワード３２を含む場合（ステップＳ１２；ＹＥＳ）、ＣＰＵ１１は、ステップＳ１２で含まれた全ての秘匿キーワードに符号を割り当てたか否かを判別する（ステップＳ１３）。符号は、（ユーザーＵＢの）読み上げ時の秘匿のための文字列であって、例えば、数字や、アルファベットを含む記号などからなり、意味を持たない文字列、固有名詞を含まない単語などの文字列である。全ての符号を割り当てていない場合（ステップＳ１３；ＮＯ）、ＣＰＵ１１は、ステップＳ１２で含まれた未選択の１つの秘匿キーワードを選択してユニークな符号を割り当て（ステップＳ１４）、ステップＳ１３に移行する。
【００５０】
音声認識されていない場合（ステップＳ１１；ＮＯ）、ＣＰＵ１１は、共有画面データを参照し、ステップＳ１４で符号が割り当てられた全ての秘匿キーワードのうち、符号が未表示の符号割り当て済の秘匿キーワードが共有画面上に含まれるか否かを判別する（ステップＳ１５）。全ての符号を割り当てた場合（ステップＳ１３；ＹＥＳ）、ステップＳ１５に移行される。符号が未表示の符号割り当て済の秘匿キーワードが含まれない場合（ステップＳ１５；ＮＯ）、ステップＳ１１に移行される。
【００５１】
符号が未表示の符号割り当て済の秘匿キーワードが含まれる場合（ステップＳ１５；ＹＥＳ）、ＣＰＵ１１は、共有画面に含まれる符号割り当て済みの全ての秘匿キーワードのうち、符号が未表示の１つの秘匿キーワードを選択し、当該選択した秘匿キーワードに対応する位置（秘匿キーワードの付近）に、対応する符号を配置して表示させ（ステップＳ１６）、ステップＳ１５に移行する。
【００５２】
ここで、図５〜図７を参照して、第１のキーワード秘匿処理の具体的な実施例を説明する。テレビ会議システム１において、テレビ会議処理の実行により、まず、図５（ａ）に示す共有画面４１０がＰＣ１０Ａの表示部１４に表示され、共有画面４１０の共有画面データがＰＣ１０ＡからＰＣ１０Ｂに送信されてＰＣ１０Ｂの表示部１４に表示されるとともに、ＰＣ１０Ａで第１のキーワード秘匿処理が実行される。
【００５３】
そして、ユーザーＵＡは、コメントＣ１「開発部の各拠点の開発費の内訳が以下になります。」を発声する。すると、ステップＳ１１において音声認識され、ステップＳ１２で、コメントＣ１には、秘匿キーワード「開発費」が含まれている。このため、ステップＳ１４で、秘匿キーワード「開発費」に符号「Ｘ０１」が割り当てられ、ステップＳ１６で、秘匿キーワード「開発費」の付近に符号「Ｘ０１」が配置される。このため、図５（ｂ）に示す共有画面４２０が、ＰＣ１０Ａに表示され、ＰＣ１０Ｂにも表示されて共有される。
【００５４】
そして、ユーザーＵＡは、コメントＣ２「東京が最も多く。」を発声する。すると、ステップＳ１１において音声認識され、ステップＳ１２で、コメントＣ２には、秘匿キーワード「東京」が含まれている。このため、ステップＳ１４で、秘匿キーワード「東京」に符号「Ａ０１」が割り当てられ、ステップＳ１６で、秘匿キーワード「東京」の付近に符号「Ａ０１」が配置される。このため、図６（ａ）に示す共有画面４３０が、ＰＣ１０Ａに表示され、ＰＣ１０Ｂにも表示されて共有される。
【００５５】
そして、ユーザーＵＡは、コメントＣ３「続いて大阪、名古屋と表示しています。」を発声する。すると、ステップＳ１１において音声認識され、ステップＳ１２で、コメントＣ３には、秘匿キーワード「大阪」、「名古屋」が含まれている。このため、ステップＳ１４で、秘匿キーワード「大阪」、「名古屋」に符号「Ａ０２」、「Ａ０３」が割り当てられ、ステップＳ１６で、秘匿キーワード「大阪」、「名古屋」の付近に符号「Ａ０２」、「Ａ０３」が配置される。このため、図６（ｂ）に示す共有画面４３０が、ＰＣ１０Ａに表示され、ＰＣ１０Ｂにも表示されて共有される。この実施例において、秘匿キーワード、そのキーワードＩＤ及び符号の対応関係をまとめたものを、図７の秘匿キーワード・符号リスト６０に示す。
【００５６】
この実施例の場合に、上記の会話以降において拠点ＬＢで、ユーザーＵＢが、「開発費」、「東京」、「大阪」、「名古屋」といった言葉については直接読み上げることなく、それぞれ割り当てられた符号である「Ｘ０１」、「Ａ０１」、「Ａ０２」、「Ａ０３」を読み上げることにより、コメントが外部に漏れ聞こえても、秘匿性が保たれた会話を行うことができる。
【００５７】
以上、本実施の形態によれば、ＰＣ１０ＡのＣＰＵ１１は、入力された音声データをＰＣ１０Ｂに送信し、音声データをＰＣ１０Ｂから受信して音声出力部１８Ａで音声出力し、共有画面の画像データを表示部１４に表示し、画像データをＰＣ１０Ｂに送信し、記憶部１５に記憶された秘匿キーワードテーブル３０に基づいて、画像データから秘匿すべき秘匿キーワード（開発費など）を抽出し、抽出された秘匿キーワードに符号（Ｘ０１など）を割り当て、画像データの抽出された秘匿キーワードに対応する位置に、割り当てられた符号を配置する。テレビ会議システム１は、ＰＣ１０Ａと、ＰＣ１０Ｂと、を備える。
【００５８】
このため、口頭でのテレビ会議において、全ての秘匿キーワードではなく、読み上げられた秘匿がより好ましい秘匿キーワードに符号を割り当てて共有画面に適時表示するので、共有画面の視認性を向上でき、テキストでのタイピングや、共有画面上でのポインタによる指示などの手間をかけないので、ユーザーの負担を軽減し、かつ音が漏れても機密事項である適切な秘匿キーワードを第三者が理解できないように秘匿できる。
【００５９】
また、ＰＣ１０ＡのＣＰＵ１１は、抽出された秘匿キーワードが画像データに含まれるか否かを判別し、含まれる場合に、画像データの前記抽出されたキーワードの付近に、割り当てられた符号を配置する。このため、処理負担を軽減できる。
【００６０】
また、抽出された秘匿キーワードに対応する位置は、当該秘匿キーワードの近傍（付近）の位置である。このため、ユーザーが秘匿キーワードに対応する符号を容易に視認できる。なお、抽出された秘匿キーワードに対応する位置は、ユーザーに設定された任意の位置としてもよい。この構成においても、ユーザーは、符号を容易に認識できる。
【００６１】
また、符号は、意味を持たない文字列、又は固有名詞を含まない文字列である。このため、秘匿キーワードをより確実に秘匿できる。
【００６２】
（第２の実施の形態）
図８〜図１２を参照して、本発明に係る第２の実施の形態を説明する。図８は、キーワードテーブル７０を示す図である。図９は、第２のキーワード秘匿処理を示すフローチャートである。図１０（ａ）は、共有画面８１０を示す図である。図１０（ｂ）は、共有画面８２０を示す図である。図１１（ａ）は、共有画面８３０を示す図である。図１１（ｂ）は、共有画面８４０を示す図である。図１１（ｃ）は、共有画面８５０を示す図である。図１２は、キーワード・符号リスト９０を示す図である。
【００６３】
本実施の形態の装置構成は、上記実施の形態と同様に、テレビ会議システム１を用いるものとする。ただし、ＰＣ１０Ａにおいて、記憶部１５は、第１のキーワード秘匿プログラムＰ１に代えて、第２のキーワード秘匿処理を実行するための第２のキーワード秘匿プログラムを記憶し、秘匿キーワードテーブル３０に代えて、図８に示すキーワードテーブル７０を記憶しているものとする。
【００６４】
つぎに、図８を参照して、ＰＣ１０Ａの記憶部１５に記憶される情報として、キーワードテーブル７０を説明する。キーワードテーブル７０は、秘匿キーワードと、秘匿キーワードに関連する関連キーワードとが予め定義されたテーブルである。図８に示すように、キーワードテーブル７０は、キーワードＩＤ７１と、秘匿キーワード７２と、関連キーワードＩＤ７３と、のカラムを有する。
【００６５】
キーワードＩＤ７１は、秘匿キーワードの識別情報である。秘匿キーワード７２は、キーワードＩＤ７１に対応する秘匿キーワードの文字列である。関連キーワード７３は、秘匿キーワード７２に関連する秘匿キーワード（関連キーワード）の識別情報である。
【００６６】
ついで、図９を参照して、テレビ会議システム１の動作を説明する。テレビ会議システム１において、上記実施の形態と同様に、ＰＣ１０Ａ，１０Ｂは、それぞれ、テレビ会議処理を実行する。
【００６７】
ＰＣ１０Ａにおいて、テレビ会議処理が実行開始されたことをトリガーとして、ＣＰＵ１１は、記憶部１５から読み出されて適宜ＲＡＭ１３に展開された第２のキーワード秘匿プログラムとの協働で、第２のキーワード秘匿処理を実行する。
【００６８】
図９に示すように、ステップＳ２１〜Ｓ２６は、図４のステップＳ１１〜Ｓ１６と同様である。ただし、ステップＳ２２では、キーワードテーブル７０（秘匿キーワード７２）が参照される。
【００６９】
ステップＳ２６の実行後、ＣＰＵ１１は、記憶部１５に記憶されたキーワードテーブル７０を参照し、選択中の秘匿キーワード７２に対応する全ての関連キーワードＩＤ７３のうち、ステップＳ２１，Ｓ２２で音声認識済で、かつ未表示の関連キーワードＩＤ７３の関連キーワードがあるか否かを判別する（ステップＳ２７）。未表示の関連キーワードがない場合（ステップＳ２７；ＮＯ）、ステップＳ２５に移行される。未表示の関連キーワードがある場合（ステップＳ２７；ＹＥＳ）、ＣＰＵ１１は、音声認識済みで、かつ未表示の１つの関連キーワードの関連キーワードＩＤ７３に対応するキーワードＩＤ７１に対応する秘匿キーワード７２と、当該関連キーワードの秘匿キーワード７２に符号が割り当てられている場合にその符号を取得し、当該関連キーワードの秘匿キーワード７２と、取得した符号とを共有画面上の所定位置（例えば、共有画面上の表示要素がないスペース）に配置して表示し（ステップＳ２８）、ステップＳ２７に移行する。
【００７０】
ここで、図１０〜図１２を参照して、第２のキーワード秘匿処理の具体的な実施例を説明する。テレビ会議システム１において、テレビ会議処理の実行により、まず、図１０（ａ）に示す共有画面８１０がＰＣ１０Ａの表示部１４に表示され、共有画面８１０の共有画面データがＰＣ１０ＡからＰＣ１０Ｂに送信されてＰＣ１０Ｂの表示部１４に表示されるとともに、ＰＣ１０Ａで第２のキーワード秘匿処理が実行される。
【００７１】
そして、ユーザーＵＡは、コメントＣ１１「開発部の各拠点の開発費の内訳が以下になります。東京が最も多く、その次に大阪。続いて名古屋、福岡の順番になっています。各開発拠点の内訳を確認します。」を発声する。すると、ステップＳ２１において音声認識され、ステップＳ２２で、コメントＣ１１には、秘匿キーワード「開発費」、「東京」、「大阪」、「名古屋」、「福岡」が含まれている。このため、ステップＳ２４で、秘匿キーワード「開発費」、「東京」、「大阪」、「名古屋」、「福岡」に、それぞれ、符号「Ｘ０１」、「Ａ０１」、「Ａ０２」、「Ａ０３」、「Ａ０４」が割り当てられる。また、ステップＳ２６で、秘匿キーワード「開発費」、「東京」、「大阪」、「名古屋」、「福岡」の付近に、それぞれ、符号「Ｘ０１」、「Ａ０１」、「Ａ０２」、「Ａ０３」、「Ａ０４」が配置される。このため、図１０（ｂ）に示す共有画面８２０が、ＰＣ１０Ａに表示され、ＰＣ１０Ｂにも表示されて共有される。
【００７２】
そして、ＰＣ１０Ａにおいて、操作部１２を介するユーザーＵＡからの操作入力に応じて、表示部１４に表示中の共有画面８２０が別のグラフの共有画面（図１１（ａ）の共有画面８３０のうち、符号及び関連キーワードが表示されていないもの）に切り替えられたものとする。すると、ステップＳ２１において音声認識されず、ステップＳ２６で、符号が割り当て済の秘匿キーワード「開発費」、「東京」の付近に、それぞれ、符号「Ｘ０１」、「Ａ０１」が配置される。さらに、ステップＳ２８で、秘匿キーワード「東京」に対応する、音声認識済でかつ未表示の関連キーワード「大阪」、「名古屋」、「福岡」と、それぞれの関連キーワード付近の符号「Ａ０２」、「Ａ０３」、「Ａ０４」と、が配置された領域ＡＲ１が、所定位置（共有画面の下方位置）に表示される。
【００７３】
そして、ユーザーＵＡは、コメントＣ１２「まずは一番多い東京から紹介します。」を発声する。しかし、秘匿キーワード「東京」は、音声認識及び符号割り当て済で、関連キーワード及びその符号も表示済であるので、共有画面８３０がそのままＰＣ１０Ａ，１０Ｂで表示される。
【００７４】
そして、ユーザーＵＡは、コメントＣ１３「速度向上、耐久性向上、省エネ、操作性改善は、御覧のようになります。」を発声する。すると、ステップＳ２１において音声認識され、ステップＳ２２で、コメントＣ１３には、秘匿キーワード「速度向上」、「耐久性向上」、「省エネ」、「操作性改善」が含まれている。このため、ステップＳ２４で、秘匿キーワード「速度向上」、「耐久性向上」、「省エネ」、「操作性改善」に、それぞれ、符号「Ｃ０１」、「Ｄ０５」、「Ｅ０１」、「Ｆ１０」が割り当てられる。また、ステップＳ２６で、秘匿キーワード「速度向上」、「耐久性向上」、「省エネ」、「操作性改善」の付近に、それぞれ、符号「Ｃ０１」、「Ｄ０５」、「Ｅ０１」、「Ｆ１０」が配置される。このため、図１１（ｂ）に示す共有画面８４０が、ＰＣ１０Ａに表示され、ＰＣ１０Ｂにも表示されて共有される。
【００７５】
そして、ユーザーＵＢは、コメントＣ１４「次ですが、先に私の担当のＡ０３のＸ０１について議論させてもらえませんか？」を発声する。そして、ユーザーＵＡは、コメントＣ１５「わかりました。」を発声する。このとき、表示中の共有画面は、変更されない。
【００７６】
そして、ＰＣ１０Ａにおいて、操作部１２を介するユーザーＵＡからの操作入力に応じて、表示部１４に表示中の共有画面８４０が別のグラフの共有画面（図１１（ｃ）の共有画面８５０のうち、符号及び関連キーワードが表示されていないもの）に切り替えられたものとする。すると、ステップＳ２１において音声認識されず、ステップＳ２６で、符号が割り当て済の秘匿キーワード「開発費」、「名古屋」の付近に、それぞれ、符号「Ｘ０１」、「Ａ０３」が配置される。さらに、ステップＳ２８で、秘匿キーワード「名古屋」に対応する、音声認識済でかつ未表示の関連キーワード「東京」、「大阪」、「福岡」と、それぞれの関連キーワード付近の符号「Ａ０１」、「Ａ０２」、「Ａ０４」と、が配置された領域ＡＲ２が、所定位置（共有画面の下方位置）に表示される。このため、図１１（ｃ）に示す共有画面８５０が、ＰＣ１０Ａに表示され、ＰＣ１０Ｂにも表示されて共有される。
【００７７】
そして、ユーザーＵＢは、コメントＣ１６「Ａ０１はＣ０１のＸ０１が大きくありませんか？Ｅ０１も大切かと思うのですが、かなり少なく見えます。次ですが、先に私の担当のＡ０３のＸ０１について議論させてもらえませんか？」を発声する。そして、ユーザーＵＡは、コメントＣ１７「Ｅ０１についてはモジュールが流用できるので、Ａ０２の技術を活用する計画です。」を発声する。そして、ユーザーＵＢは、コメントＣ１８「わかりました。」を発声する。このとき、表示中の共有画面は、変更されない。この実施例において、秘匿キーワード、そのキーワードＩＤ、関連キーワードＩＤ及び符号の対応関係をまとめたものを、図１２のキーワード・符号リスト９０に示す。
【００７８】
以上、本実施の形態によれば、ＰＣ１０ＡのＣＰＵ１１は、記憶部１５に記憶された秘匿すべき秘匿キーワードと当該秘匿キーワードに関連する関連キーワードとを有するキーワードテーブル７０に基づいて、共有画面の画像データの抽出されたキーワードに対応する関連キーワード及び符号を第２の所定位置（例えば、共有画面の下方位置）に配置する。このため、秘匿キーワードと同様に秘匿すべき関連キーワードについても秘匿できる。
【００７９】
（変形例）
上記第１、第２の実施の形態の複数の変形例を説明する。
【００８０】
上記第１、第２の実施の形態では、共有画面上の秘匿キーワード及び符号を単純に表示させるのみであったが、これに限定されるのみではない。第１の変形例として、ＰＣ１０ＡのＣＰＵ１１が、共有画面上の秘匿キーワード及び関連キーワードの少なくとも１つを、割り当てられた符号に対応する表現に変更する構成としてもよい。例えば、秘匿キーワードの文字を符号に対応する色の線で囲んだり、秘匿キーワードの文字の色を符号に対応する色としたり、秘匿キーワードの文字の背景色（マーカー）を符号に対応する色としたりする構成としてもよい。この構成によれば、ユーザーが秘匿キーワード又は関連キーワードを目視により符号に対応して容易に識別できる。
【００８１】
また、上記第１、第２の実施の形態では、音声認識された秘匿キーワードに対応する符号並びに関連キーワード及びその符号を共有画面に表示する構成であったが、これに限定されるものではない。第２の変形例として、ＰＣ１０ＡのＣＰＵ１１が、音声認識された秘匿キーワードに対応する符号並びに関連キーワード及びその符号の少なくとも一つを共有画面に配置（表示）してから、所定時間経過後に共有画面上で消去する構成としてもよい。この構成により、所定時間経過すると、各拠点のユーザーが秘匿キーワードの符号及び関連キーワードを記憶している可能性が高く、消去することで共有画面を見やすくできる。
【００８２】
また、上記第１、第２の実施の形態では、秘匿キーワードテーブル３０、キーワードテーブル７０が予め設定され固定される構成としたが、これに限定されるものではない。第３の変形例として、ＰＣ１０ＡのＣＰＵ１１が、テレビ会議システム１におけるテレビ会議中、又はテレビ会議以外のタイミングで、ＰＣ１０Ａにおける操作部１２を介するユーザーＵＡの操作入力、又はＰＣ１０Ｂにおける操作部１２を介するユーザーＵＢの操作入力に応じて、秘匿キーワードテーブル３０、キーワードテーブル７０に記憶されている秘匿キーワード、関連キーワード（関連キーワードＩＤ）を変更可能な構成としてもよい。この構成によれば、任意のタイミング（特にテレビ会議中でも）秘匿キーワードテーブル３０、キーワードテーブル７０を自在に変更でき、例えば新たな秘匿キーワードが発生した場合にも、柔軟に対応して、新たな秘匿キーワードを秘匿できる。
【００８３】
また、第４の変形例として、ＰＣ１０ＡのＣＰＵ１１は、テレビ会議中に、共有画面中の表示要素（図、表、イメージなど）に対して符号を割り当て、割り当てられた符号を共有画面中の当該表示要素に対応する位置（例えば、表示要素の付近）に配置する構成としてもよい。この構成によれば、共有画面中の表示要素を符号により読み上げることができる。
【００８４】
以上の説明では、本発明に係るプログラムのコンピューター読み取り可能な媒体としてＨＤＤ、半導体メモリーなどを使用した例を開示したが、この例に限定されない。その他のコンピューター読み取り可能な媒体として、ＣＤ−ＲＯＭなどの可搬型記録媒体を適用することが可能である。また、本発明に係るプログラムのデータを通信回線を介して提供する媒体として、キャリアウエーブ（搬送波）も本発明に適用される。
【００８５】
なお、上記各実施の形態及び変形例における記述は、本発明に係る好適なテレビ会議管理装置、テレビ会議システム、キーワード秘匿方法及びプログラムの一例であり、これに限定されるものではない。
【００８６】
例えば、上記各実施の形態及び変形例では、テレビ会議システムが、２台のＰＣ（テレビ会議管理装置及び端末装置）を備える構成としたが、これに限定されるものではない。テレビ会議システムが、３台以上の情報処理装置（テレビ会議管理装置及び複数の端末装置）を備える構成とし、当該３台以上でテレビ会議を行うシステムとしてもよい。
【００８７】
また、以上の実施の形態におけるテレビ会議システム１を構成する各部の細部構成及び細部動作に関して本発明の趣旨を逸脱することのない範囲で適宜変更可能である。
【符号の説明】
【００８８】
１  テレビ会議システム
１０Ａ，１０Ｂ  ＰＣ
１１  ＣＰＵ
１２  操作部
１３  ＲＡＭ
１４  表示部
１５  記憶部
１６  通信部
１７  音声入力部
１８Ａ  音声出力部
Ｎ  通信ネットワーク
【図１】
2020102700.tif 000003
【図２】
2020102700.tif 000004
【図３】
2020102700.tif 000005
【図４】
2020102700.tif 000006
【図５】
2020102700.tif 000007
【図６】
2020102700.tif 000008
【図７】
2020102700.tif 000009
【図８】
2020102700.tif 000010
【図９】
2020102700.tif 000011
【図１０】
2020102700.tif 000012
【図１１】
2020102700.tif 000013
【図１２】
2020102700.tif 000014